(57)【特許請求の範囲】
【請求項１】
脱穀部（７）の下方に選別部（８）を配設し、該選別部（８）の後部上方に排塵ファン（９）を設け、該排塵ファン（９）の後方に排藁を切断処理するカッタ装置（１２）を連設すると共に、該カッタ装置（１２）を左右一端側を支点として開閉自在に枢設したコンバインにおいて、前記カッタ装置（１２）を閉じた状態で固定するための固定具（８１）を設けるにあたり、該固定具（８１）を、前記排塵ファン（９）を脱穀側壁（９２）に支持する支持部材（８６）に装着すると共に、該支持部材（８６）の一端側を、排塵ファン（９）のケーシングを構成する上部壁（９３）と脱穀側壁（９２）との側面視における接合部（Ｂ）を跨いだ状態で固定し、当該接合部（Ｂ）の近傍位置に固定具（８１）を装着したことを特徴とするコンバイン。
【発明の詳細な説明】
【技術分野】
【０００１】
本発明は、脱穀部から排藁搬送装置を介して搬送される排藁を切断処理するコンバインのカッタ装置に関する。
【背景技術】
【０００２】
従来、穀稈を刈り取る前処理部の後方に脱穀部と選別部とを上下に配設すると共に、これら脱穀部の後方且つ選別部の後部上方に、該選別部で選別分離した夾雑物を吸引して機外に排出する吸引排塵ファン（横断流ファン）と、前記脱穀部から排藁搬送装置を介して搬送される排藁を切断するカッタ装置とを連設したコンバインが知られている（例えば、特許文献１参照）。
【０００３】
そして、上述したカッタ装置を、その左右一端側を支点として開閉自在に枢設すると共に、カッタ装置の開閉端側における外装側面と脱穀装置との間に当該カッタ装置を閉じた状態で固定するロック装置として引きクランプを設けたものが知られている（例えば、特許文献２参照）。
【特許文献１】特開２００７−２５２２１４号公報（第４−６頁、図１）
【特許文献２】特開２００２−８４８７０号公報（第３頁、図３）
【発明の開示】
【発明が解決しようとする課題】
【０００４】
しかし、特許文献２のようにロック装置として引きクランプを設ける場合は、この引きクランプ本体を装着する部位の剛性を向上させるために特別な補強部材を設けなければならず、それによりコスト高と重量の増加を伴うことから改善の余地があった。
【課題を解決するための手段】
【０００５】
本発明は、上記課題を解決することを目的としたものであって、脱穀部の下方に選別部を配設し、該選別部の後部上方に排塵ファンを設け、該排塵ファンの後方に排藁を切断処理するカッタ装置を連設すると共に、該カッタ装置を左右一端側を支点として開閉自在に枢設したコンバインにおいて、前記カッタ装置を閉じた状態で固定するための固定具を設けるにあたり、該固定具を、前記排塵ファンを脱穀側壁に支持する支持部材に装着すると共に、該支持部材の一端側を、排塵ファンのケーシングを構成する上部壁と脱穀側壁との側面視における接合部を跨いだ状態で固定し、当該接合部の近傍位置に固定具を装着したことを特徴としている。
【発明の効果】
【０００６】
請求項１の発明によれば、排塵ファンの後方に排藁を切断処理するカッタ装置を連設すると共に、該カッタ装置を左右一端側を支点として開閉自在に枢設したコンバインにおいて、前記カッタ装置を閉じた状態で固定するための固定具を設けるにあたり、該固定具を、前記排塵ファンを脱穀側壁に支持する支持部材に装着可能に構成したことによって、従来のように固定具を装着する部位の剛性を向上させるための特別な補強部材を設けることなく、当該固定具を排塵ファンの支持部材を利用して装着することができるのでコストの低減及び重量の軽減が図れる。
そして、前記支持部材の一端側を、排塵ファンのケーシングを構成する上部壁と脱穀側壁との側面視における接合部を跨いだ状態で固定すると共に、当該接合部の近傍位置に固定具を装着可能に構成したことによって、極めて簡単な改善により当該固定具を装着できると共に、前記接合部近傍の剛性が更に向上する。
【発明を実施するための最良の形態】
【０００７】
以下、本発明の実施形態を図面に基づいて説明する。図１及び図２は、コンバインの側面図と平面図、図３は、コンバインに搭載される脱穀部周辺の概略側面図、また図４は、コンバインの伝動図であって、コンバインは、走行部である左右一対のクローラ走行装置１Ｌ，１Ｒに支持した走行機体２を有しており、該走行機体２の前部右側には、エンジン３を搭載し、このエンジン３の上方には、コンバインの操縦部４を構成する運転席５を配置している。
【０００８】
一方、走行機体２の前部左側には、穀稈の刈取りと搬送を行なう前処理部６を昇降自在に架設し、この前処理部６の後方には、刈取った穀稈を脱穀する脱穀部７と、該脱穀部７で脱穀された穀粒を選別する選別部８とを上下に配設すると共に、この選別部８の後部上方に該選別部８で生じた夾雑物を吸引して機外に排出する横断流ファンである排塵ファン９と、前記脱穀部７から排藁搬送装置１１を介して搬送される排藁を切断するカッタ装置１２とを前後に連設している。
【０００９】
また、運転席５の後方には、選別部８で選別された穀粒を一時的に貯留する穀粒タンク１３が設けてあり、この穀粒タンク１３内に一時的に貯留された穀粒は、縦搬送パイプ１４を経て起伏及び回動動作自在な穀粒排出オーガ１５の排出口１５ａから機外に排出できるようになっている。
【００１０】
そして、運転席５前方の床面を形成する搭乗ステップ１６の前側には、走行機体２の操向及び前処理部６の昇降操作を行うマルチステアリングレバー１７を備えた操縦塔１８を立設している。マルチステアリングレバー１７は、操縦塔１８の上部を覆う上面パネル１９の右側から突出すると共に、上面パネル１９の左側には、刈取り作業（運転）に必要な各種情報を表示するためのメータパネル２１を内装している。また、運転席５左側のサイドパネル２２には、主変速レバー２３や副変速レバー２４等のコンバインの操縦に必要な複数の操作レバーを配置している。
【００１１】
上述した脱穀部７は、前処理部６で刈取った穀稈を脱穀する扱胴２５を内装した扱室２６を備え、この扱室２６の下方に、該扱室２６で脱穀された穀粒を選別する選別部８を設けている。そして、扱室２６の左側方には、刈り取られた穀稈の株元を図示しない挟扼レールとの間に挟持して後方に搬送する脱穀フィードチェン２７を設けている。
【００１２】
選別部８は、扱室２６の下方に位置し、これら選別部８と扱室２６とは、扱ぎ降し物を漏下する受網２８によって区切られている。そして、選別部８は、唐箕ファン３１、揺動選別体３２、一番螺旋３３、二番螺旋３４、及び送風ファン３５等を備えている。
【００１３】
更に詳しくは、唐箕ファン３１は、選別部８の前側に設けてあり、この唐箕ファン３１が回転駆動することにより選別風が起風される。揺動選別体３２は、前後に揺動駆動され、受網２８から漏下した穀粒と夾雑物とを揺動選別する。一番螺旋３３は、揺動選別体３２により選別された一番物を図示しない一番物収容部においてに横方向に移送し、この横移送された一番物は、揚穀筒３６内の揚上螺旋３７に引き継がれて穀粒タンク１３内へ搬送される。二番螺旋３４は、一番物として収容されなかった枝梗粒，穂切粒等を含む二番物を図示しない二番物収容部において横方向に移送する。そして、送風ファン３５は、一番物収容部と二番物収容部との間で揺動選別体３２側に向けて下方から副選別風を送風する。
【００１４】
次に、脱穀部７、選別部８、排塵ファン９、及びカッタ装置１２等の伝動構造について説明する。エンジン３の動力は、ミッションケース３８の入力軸３９に入力され、この入力軸３９を介してミッションケース３８の左側面３８ａに配設した静油圧式無段変速装置（前処理用ＨＳＴ）４１に入力される。
【００１５】
そして、静油圧式無段変速装置４１から出力される動力は、ミッションケース３８内の変速機構３８ｂを介して前処理部６と脱穀フィードチェン２７に出力される。即ち、静油圧式無段変速装置４１に入力された動力は、この静油圧式無段変速装置４１によって任意に変速することができると共に、ミッションケース３８内でも変速がなされて図示しない前処理部駆動軸と脱穀フィードチェン駆動軸４２に出力される。
【００１６】
上述したミッションケース３８の入力軸３９は、ミッションケース３８の右側面３８ｃ側からエンジン３の動力が入力されると共に、ミッションケース３８の左側面３８ａから突出する当該入力軸３９の軸端には、脱穀部７へ動力を出力する出力プーリ４３を取り付けている。
【００１７】
また、唐箕ファン３１は、唐箕軸４４に軸支してあり、この唐箕軸４４は、脱穀部７の図示しない機枠に回転自在に支持している。そして、唐箕軸４４に取り付けた入力プーリ４５には、ミッションケース３８の出力プーリ４３との間に巻回したベルト４６を介して動力が伝達され、この動力により唐箕ファン３１は回転駆動する。
【００１８】
二番螺旋３４は、唐箕ファン３１の後方に配設した二番収容部内に設けられている。二番螺旋３４は、二番螺旋軸４７の周りに螺旋板３４ａが取り付けられると共に、脱穀部７の図示しない機枠に回転自在に支持している。
【００１９】
そして、脱穀部７の図示しない機枠の左側面側から突出する二番螺旋軸４７には、プーリ４８が設けてあり、このプーリ４８と唐箕軸４４に取り付けた選別出力プーリ４９との間に巻回したベルト５１を介して動力が伝達され、この動力により二番螺旋３４は回転駆動する。
【００２０】
また、一番螺旋３３は、唐箕ファン３１より後方、且つ二番収容部より前方に配設される一番収容部内に設けている。一番螺旋３３は、一番螺旋軸５２の周りにラセン板３３ａが取り付けられると共に、脱穀部７の図示しない機枠に回転自在に支持している。
【００２１】
そして、脱穀部７の図示しない機枠の左側面側から突出する一番螺旋軸５２には、プーリ５３が設けてあり、このプーリ５３と二番螺旋軸４７に取り付けたプーリ５４との間に巻回したベルト５５を介して動力が伝達され、この動力により一番螺旋３３は回転駆動する。
【００２２】
また、送風ファン３５は、ファン軸５６に軸支してあり、このファン軸５６は、一番螺旋３３と二番螺旋３４との間で脱穀部７の図示しない機枠に回転自在に支持している。そして、ファン軸５６には、上述した一番螺旋軸５２のプーリ５３と二番螺旋軸４７のプーリ５４との間に巻回したベルト５５に摺接するプーリ５７を取り付けてあり、該プーリ５７を介して入力される動力により送風ファン３５は回転駆動する。尚、ベルト５５には、その張力を維持するテンションプーリ５８を設けている。
【００２３】
また、揺動選別体３２は、脱穀部７の図示しない機枠に前後揺動自在に支持している。前記機枠の左側面側には、揺動選別体３２を揺動駆動させるための駆動クランク機構５９を設けてあり、この駆動クランク機構５９の基端部である揺動選別体３２の揺動駆動軸６１は、二番螺旋軸４７の後方上部に配置してある。
【００２４】
そして、駆動クランク機構５９を構成するリンクアーム６２の先端は、一番螺旋軸５２に設けたプーリ５３の回転軸心から偏心した位置、即ち前記プーリ５３の一番螺旋軸５２に対して偏心した端面位置に連結してあり、当該プーリ５３の回転駆動によってリンクアーム６２を介して駆動クランク機構５９を駆動せしめ、それにより揺動選別体３２を前後に揺動駆動可能に構成している。
【００２５】
また、排塵ファン９は、脱穀部７の図示しない機枠の後方上部（選別部８の後部上方）に配設してあり、前記機枠の左側面側には、排塵ファン９を駆動するための駆動軸６３にプーリ６４を取り付けている。このプーリ６４は、二番螺旋軸４７の後方上部且つ揺動選別体３２の揺動駆動軸６１より上方位置に配置してある。そして、二番螺旋軸４７の軸端側に取り付けたプーリ６５から上述のプーリ６４にベルト６６を介して動力が伝達され、この動力により排塵ファン９は回転駆動する。
【００２６】
そして、カッタ装置１２は、脱穀部７の後方且つ選別部８の後部上方において、排塵ファン９の後方に連設してある。カッタ装置１２の駆動プーリ６７は、脱穀部７の図示しない機枠の左側面側に位置しており、当該駆動プーリ６７は、排塵ファン９を駆動する駆動軸６３に取り付けたプーリ６４の後方に位置すると共に、二番螺旋軸４７の軸端に取り付けたプーリ６８からベルト６９を介して動力が伝動され、この動力によりカッタ装置１２
の駆動軸７１が回転駆動する。
【００２７】
また、唐箕軸４４には、入力プーリ４５の反対側の端部に、脱穀出力プーリ７２が取り付けてあり、この脱穀出力プーリ７２からベルト７３を介して、上述の扱胴２５及び該扱胴２５の後方側に設けた処理胴７４が回転駆動するように構成している。尚、扱胴２５を軸支する扱胴軸７５を介してカッタ装置１２に排藁を搬送する排藁搬送装置１１が駆動される。
【００２８】
以上説明したように、排塵ファン９とカッタ装置１２とは、二番螺旋軸４７を共通の駆動源として、それぞれ専用の伝動手段であるベルト６６，６９を介して駆動される。同じく一番螺旋３３と送風ファン３５も、二番螺旋軸４７を駆動源とする共用のベルト５５を介して駆動される。更に、揺動選別体３２は、二番螺旋軸４７を駆動源とする一番螺旋３３（一番螺旋軸５２）のプーリ５３を介して駆動されるように構成している。
【００２９】
ところで、上述したカッタ装置１２は、図２に示すように、その左右一端側の縦軸Ｐを支点として開閉自在に枢設してある。そして、カッタ装置１２の開閉端側Ａにおける外装側面１２ａと排塵ファン９の外装側面９ａとの間には、図５及び図６に示す如く、当該カッタ装置１２を閉じた状態で固定することができる固定具（ロック装置）としての引きクランプ８１を設けている。
【００３０】
この引きクランプ８１は、カッタ装置１２の外装側面１２ａである側壁８２の前側フランジ８２ａに固設した受け部材８３と、該受け部材８３に形成した切欠き８３ａに係合する略Ｕ字状のラッチ部材８４を備えた本体側の操作レバー８５とからなり、該操作レバー８５は、排塵ファン９を支持するプレート状支持部材８６の一端側に固設した断面が略コ字状のベース８６ａに装着（螺設）してある。
【００３１】
更に詳しくは、排塵ファン９を駆動すべく上述の駆動軸６３の軸端に設けたギヤ８７と、このギヤ８７に歯合する排塵ファン９の回転軸８８の軸端に設けたギヤ８９とをギヤケース９１に内装すると共に、該ギヤケース９１を山形状に曲げ形成したプレート状支持部材８６の略中央の凸部８６ｂに螺設できるように構成している。
【００３２】
また、排塵ファン９の外装側面９ａである脱穀側壁９２には、当該排塵ファン９の側方からの組み付けを容易にする横穴Ｈを設けている。そして、上述した支持部材８６は、前記横穴Ｈを跨ぐ右上がり（後上がり）傾斜で脱穀側壁９２に螺設してある。この時、支持部材８６の一端側（右上部側）を、図６に示すように、排塵ファン９のケーシングを構成する上部壁９３と脱穀側壁９２との側面視における接合部Ｂを跨いだ状態でボルト９０を用いて螺設すると共に、前記接合部Ｂの近傍位置に引きクランプ８１を装着できるように構成している。
【００３３】
以上説明した構成によれば、カッタ装置１２を閉じた状態で固定するための固定具として引きクランプ８１を設けるにあたり、従来のように引きクランプ８１の本体側を装着する部位の剛性を向上させるために特別な補強部材を設けなくても、剛性の高い排塵ファン９のケーシングを構成する上部壁９３と脱穀側壁９２との側面視おける接合部Ｂの近傍位置に、当該引きクランプ８１の本体側を装着することができるようになる。
即ち、排塵ファン９を脱穀側壁９２に支持するプレート状支持部材８６を利用して、その一端側（右上部側）を、排塵ファン９のケーシングを構成する上部壁９３と脱穀側壁９２との側面視における接合部Ｂを跨いだ状態でボルト９０を用いて螺設できるように、プレート状支持部材８６の一端側を若干延長するといった極めて簡単な改善を施すことによって、引きクランプ８１の本体側を装着する部位の剛性を向上させるための特別な補強部材を設けることなく、当該引きクランプ８１を排塵ファン９のプレート状支持部材８６に装着できるのでコストの低減及び重量の軽減が図れると共に、前記接合部Ｂの近傍の剛性が更に向上するといったメリットもある。
【００３４】
尚、カッタ装置１２の開閉端側Ａにおいて、カッタ装置１２の外装側面１２ａである側壁８２は、図５に示す如く排塵ファン９の外装側面９ａである脱穀側壁９２及び選別部８の側壁９６に対して若干外側に突出しており、排塵ファン９の脱穀側壁９２及び選別部８の側壁９６の後部に一体的に形成する後側フランジ９２ａ，９６ａは、その先端高さがカッタ装置１２の側壁８２の前側フランジ８２ａと略一致するように立ち上げてある。
【００３５】
そして、排塵ファン９の脱穀側壁９２の下部には、断面略コ字状の補強部材９７を固設すると共に、この補強部材９７が上述した両フランジ９２ａ，９６ａと接合する部位Ｃも幅広に形成してあり、排塵ファン９の脱穀側壁９２の後側下部及び選別部８の側壁９６の後側上部は全体的に強固な角部構造を形成している。
【００３６】
一方、カッタ装置１２の側壁８２の前側フランジ８２ａ下部には、ストッパブロック９８を固設してあり、カッタ装置１２を開いた状態から閉じた時は、前記ストッパブロック９８の周辺が強固な角部構造を有する排塵ファン９の脱穀側壁９２の後側下部、即ち後側フランジ９２ａと当接するように位置関係を構成してある。したがって、カッタ装置１２の開閉を繰り返し行なっても、前記ストッパブロック９８の周辺が当接する後側フランジ９２ａの変形が起こり難く耐久性に優れている。
【図面の簡単な説明】
【００３７】
【図１】コンバインの側面図。
【図２】コンバインの平面図。
【図３】脱穀部周辺の概略側面図。
【図４】コンバインの伝動図。
【図５】カッタ装置の開閉端側における周辺斜視図。
【図６】カッタ装置の開閉端側における周辺側面図。
【符号の説明】
【００３８】
７    脱穀部
８    選別部
９    排塵ファン
１２  カッタ装置
８１  固定具
８６  支持部材
９２  脱穀側壁
９３  上部壁
Ｂ    接合部
【図１】
0004956463.tif 000002
【図２】
0004956463.tif 000003
【図３】
0004956463.tif 000004
【図４】
0004956463.tif 000005
【図５】
0004956463.tif 000006
【図６】
0004956463.tif 000007